(57)【要約】      （修正有）【課題】モニターを高さを変更可能に、左右方向および仰・俯角方向に回動可能に保持するモニターの取付支持具を提供する。【解決手段】オーディオ機器の外形に合わせて折り曲げた取付ステー部材５と、取付ステー部材５の前面に固定される棒部材11を植設し、棒部材11の軸線方向と直交する方向に４本の突起121を十字状に植設した球体12、この球体12の各突起121が嵌るスリット131を形成した球体受け13、球体12を球体受け13内に保持し、棒部材11を傾動自在に挿通する穴をあけたナット14よりなり、球体12に対して球体受け13を左右方向、仰・俯角方向に回動可能に結合する継手１と、この継手の球体受け13に固定された支持部材２と、この支持部材２に固定された２枚の挟持板４と、この２枚の挟持板４により両側を摺動自在に挟持された昇降部材３と、この昇降部材３に固定されてモニター７を嵌める取付部材33とにより構成される。【選択図】    図２
2006341717.tif 000002
【特許請求の範囲】
【請求項１】
オーディオ機器の外形に合わせて折り曲げられ、前面が上向きに折り曲げられた取付ステー部材と、
該取付ステー部材の前面に固定される棒部材を植設し、該棒部材の軸線方向と直交する方向に４本の突起を十字状に植設した球体、該球体の４本の突起が嵌るスリットを形成した球体受け、および上記球体を上記球体受け内に保持し、上記棒部材を傾動自在に挿通する穴をあけたナットよりなり、上記球体に対して上記球体受けを左右方向、仰・俯角方向に回動可能に結合する継手と、
該継手の球体受けに固定された支持部材と、
該支持部材に固定された２枚の挟持板と、
該２枚の挟持板により両側を摺動自在に挟持された昇降部材と、
該昇降部材に固定されてカーナビゲーションのモニターを嵌める取付部材と、
を具備することを特徴とするカーナビゲーションのモニターの取付支持具。
【請求項２】
球体受けの底面には、球体と同じ曲率の球面が形成され、ナットの球体に接触する内面にナイロンリングが嵌め込まれていることを特徴とする請求項１に記載のカーナビゲーションのモニターの取付支持具。
【請求項３】
昇降部材の側面の複数個所に切欠きを形成し、該切欠きと係合するコイルスプリングの弾力が作用するピンを有するクリックストップ機構を備えることを特徴とする請求項１に記載のカーナビゲーションのモニターの取付支持具。
【発明の詳細な説明】
【技術分野】
【０００１】
この発明は、カーナビゲーションのモニターを車体に取り付ける取付支持具に関し、特に、モニターを上下方向に昇降可能、左右方向および仰・俯角方向に回動可能に構成したモニター取付支持具に関する。
【背景技術】
【０００２】
通常、カーナビゲーションのモニターは自動車のダッシュボードの上に取り付けるオンダッシュタイプと呼ばれている取り付け方と、自動車のダッシュボードに収まるカーオーディオのヘッドユニットを収納するためのスロットを利用したインダッシュタイプと呼ばれている取り付け方とがある。
【０００３】
オンダッシュタイプに用いられる従来のモニター取付支持具は、下記特許文献１に開示されているように、自動車のダッシュボード上の決められた位置にモニターを固定して支持するものである。
【０００４】
他方、インダッシュタイプに用いられる従来のモニター取付支持具は、下記特許文献２に開示されているように、自動車のダッシュボードの収納空間にモニターを収納しておき、使用する際にはモニターを引き出して、モニターをダッシュボードの手前に固定するものである。
【特許文献１】特開平１０−２８１３９３号公報
【特許文献２】特開平１０−３２９６１６号公報
【発明の開示】
【発明が解決しようとする課題】
【０００５】
しかし、オンダッシュタイプにおいては、モニターがダッシュボードの上に位置しているのでモニターは見やすいが、使用しない際には運転中の視界を妨げることになる。
【０００６】
一方、インダッシュタイプでは、使用しない際には、ダッシュボードに格納できて見た目はすっきりするが、モニターの大きさが格納の都合上、制約がある。また、オーディオの操作パネルは空調の吹出口の真下に位置していることが多く、特に、後付けのカーナビゲーションにおいては、モニターを引き出すと空調の吹出口を遮ることや、オーディオ機器を操作をする際にモニターが邪魔になるという欠点があった。
【０００７】
また、オンダッシュタイプとインダッシュタイプのいずれの場合でも、モニターの向きを変えたくてもモニターの向きを変えることはできなかった。
【０００８】
そこで、この発明のモニターの取付支持具は、インダッシュタイプのように、モニターをオーディオ機器の前に取り付けても、モニターの高さを自在に変えてオーディオ機器の操作を容易にし、高さ変更後にその姿勢を維持するように構成したものである。
【０００９】
さらに、この発明のモニターの取付支持具は、モニターを左右方向および仰・俯角方向に回動可能にして、モニターの向きを変更後にその姿勢を維持するように構成したものである。
【課題を解決するための手段】
【００１０】
この発明のするカーナビゲーションのモニターの取付支持具は、オーディオ機器の外形に合わせて折り曲げられ、前面が上向きに折り曲げられた取付ステー部材と、この取付ステー部材の前面に固定される棒部材を植設し、この棒部材の軸線方向と直交する方向に４本の突起を十字状に植設した球体、この球体の４本の突起が嵌るスリットを形成した球体受け、および上記球体を上記球体受け内に保持し、上記棒部材を傾動自在に挿通する穴をあけたナットよりなり、上記球体に対して上記球体受けを左右方向、仰・俯角方向に回動可能に結合する継手と、この継手の球体受けに固定された支持部材と、この支持部材に固
定された２枚の挟持板と、この２枚の挟持板により両側を摺動自在に挟持された昇降部材と、この昇降部材に固定されてカーナビゲーションのモニターを嵌める取付部材とにより構成される。
【発明の効果】
【００１１】
この発明のカーナビゲーションのモニター取付支持具によると、ダッシュボードの収納空間に収納されているオーディオ機器を利用して簡便にモニターを取り付けることが可能である。
【００１２】
また、クリックストップ機構を設けて、モニターの高さを自在に変更でき、かつ、高さ変更後に振動を受けてもその姿勢を維持することができる。
【００１３】
通常、空調の吹出口を遮らないように、モニターの位置を下げておくと運転者の視界を妨げることもなく、オーディオ機器を操作するときは、モニターの位置を上げることにより容易に操作することができる。
【００１４】
さらに、左右方向、仰・俯角方向にモニターの向きを変えられるので、運転者または助手席の乗車人のどちらかがモニターを見たい場合には何れの方にも向けることができ、モニターを見易い姿勢に維持することができて便利である。
【発明を実施するための最良の形態】
【００１５】
この発明のモニター取付支持具は、図１の斜視図、図２の組立図および図３の側面図に示すように、オーディオ機器６（図４参照）を利用して固定する取付ステー部材５と、取付ステー部材５の前面に一端が固定されて左右方向および仰・俯角方向に回動可能な継手１と、この継手１の他端に固定されてモニター７を上下方向に昇降可能に支持する昇降部材３とにより構成される。
【００１６】
取付ステー部材５は、図４に示すように、オーディオ機器６と収納空間との隙間に収まるように、オーディオ機器６の外形に合わせて適宜に段部53を成形したものである。この取付ステー部材５の後端は、下向きに折り曲げて穴52があけられており、この穴52を利用して、オーディオ機器６の裏側に対してビスまたはナットなどにより結合され、前面は、上向きに折り曲げられて、継手１の棒部材11を支持する保持部材54が溶接などにより固定されている。
【００１７】
保持部材54は、その中心に継手１の棒部材11を挿通する穴があけられており、六角ネジによって側方から棒部材11を固定する。さらに、取付ステー部材５の前面には、保持部材54の上にネジ穴があけられており、このネジ穴に先端がねじ切りされて途中に折り曲げ可能な屈曲部511を有する保持棒51が取り付けられている。
【００１８】
図５の組立図および図７の断面図に示すように、継手１は、棒部材11を植設した球体12と、周囲にねじを切った球体受け13とにより構成される。球体12の周囲には、棒部材11の軸線方向と直交する方向に４本の突起121が十字状に植設されている。球体受け13の底面には、球体12と同じ曲率の球面132が形成されており、球体受け13の周囲には、球体12に植設された４本の突起121が嵌る４つのスリット131が形成されており、底面には昇降部材３を支持する平板状の支持部材２が固定されている。この支持部材２には、案内ピン21が植設されている。
【００１９】
さらに、継手１には、図７の断面図に示すように、球体受け13に嵌め込んだ球体12を締め付けるナット14と、このナット14と支持部材２との間にあって、ナット14の緩みを防ぐ緩み止めリング15とを備えている。このナット14は、球体受け13の周囲のネジにねじ込まれるもので、棒部材11を傾動自在に挿通する穴141があけられており、球体12と接触する内面にはナイロンリング142が嵌め込まれている。
【００２０】
昇降部材３は、その両側面が山形に形成されて、支持部材２にビスによってねじ止めされる２枚の挟持板４のＶ字状の溝41の中を摺動するもので、その摺動範囲を制限するために、支持部材２に対向する裏面には両端を閉じた案内溝31が形成されている（図２の(ａ)参照）。この案内溝31の中に、支持部材２に植設された案内ピン21が突出して摺動範囲を制限する。さらに、昇降部材３の一方の側面の複数個所に切欠き32が形成されている。昇降部材３の前面にモニター７を嵌合させる取付部材33を取り付ける穴が開けられている。
【００２１】
２枚の挟持板４は、その対向する面にはＶ字状の溝41が形成され、さらに側方からネジ穴42があけられている。
【００２２】
次に、これらの部品を組み立てる手順を説明する。まず、平板状の支持部材２に球体受け13をねじ止めし、案内ピン21を植設する。球体受け13に緩み止めリング15を予めねじ込んだのち、棒部材11を持って球体12の４本の突起121を球体受け13の４つのスリット131に合わせながら、球体12を球体受け13に嵌め込む。そして、ナット14をねじ込んで、球体受け13の底面に形成された球面132と、ナット14のナイロンリング142とによって球体12を挟むことにより、図６の斜視図に示すように、左右方向、仰・俯角方向に回動するボールジョイント機構として作用する継手１を組み立てる。
【００２３】
取付部材33を予めねじ止めした昇降部材３を２つの挟持板４のＶ字状の溝41で挟み、昇降部材３の案内溝31を支持部材２に植設された案内ピン21に合わせながら２つの挟持板４を支持部材２にねじ止めする。
【００２４】
２枚の挟持板４のうち、昇降部材３の切欠き32が形成されていない側面を挟持する一方の挟持板４のネジ穴42には、図８の斜視図に示す先端にＶ字状の窪み431を形成したナイロン製の第１のピン43を、窪み431の谷線432を縦方向にして挿通したのち、コイルスプリング44を挿入して六角ネジ45をねじ込んでスプリングの弾力により第１のピン43のＶ字状の窪み431を昇降部材３の側面に押し付ける。
【００２５】
昇降部材３の切欠き32が形成されている側面を挟持する他方の挟持板４のネジ穴42には、図９の斜視図に示す先端が山形461に突出され、その先端461にさらにＶ字状の窪み463を形成したナイロン製の第２ピン46を、窪み463の谷線464を縦方向にして挿通したのち、コイルスプリング44を挿入して六角ネジ45をねじ込んでスプリングの弾力により第２ピン46のＶ字状の窪み463を昇降部材３の側面に押し付ける。
【００２６】
昇降部材３を摺動させたときに、側面の切欠き32が第２ピン46に到達すると、山形461に突出した第２ピン46の稜線462が切欠き32に係合してクリックストップ機構を構成する。このように、ナイロン製の２つのピン43、46を使用することにより、昇降部材３の摺動およびクリックストップを円滑に行わせることができる。
【００２７】
昇降部材３は、その摺動範囲を制限するために、支持部材２に対向する面に両端を閉じた案内溝31が形成されており、この案内溝31の中に、支持部材２に植設された案内ピン21が突出して摺動範囲を制限するので、昇降部材３が２つの挟持板４から抜け出すことはない。
【００２８】
このようにして組み立てられたアッセンブリーを取付ステー部材５に固定するために、昇降部材３の姿勢を上下方向にして、球体12に植設した棒部材11を取付ステー部材５の保持部材54に挿し込んで側方から六角ビスをねじ込んで固定することにより図１の斜視図に示すモニター取付支持具が完成する。
【００２９】
モニター取付支持具を使用してカーナビゲーションのモニター７を車体に取り付ける手順を説明する。
【００３０】
図４の断面図に示すように、ダッシュボード８のオーディオ収納空間よりオーディオ機器６を抜き出して、オーディオ機器６の上面に取付ステー部材５を重ね、下向きに折り曲げられた後端の穴52にビスを挿通してねじ止めしたのち、オーディオ機器６を収納空間に挿し込んで固定する。
【００３１】
カーナビゲーションのモニター７の重みで、取付ステー部材５の折り曲げ角度が変化してモニター７が振動したり傾くのを防止するために、保持棒51の先端をダッシュボード８の穴に通し、ナット512を回して、上方に折り曲げられた取付ステー部材５の前面とダッシュボード８との間に、取付ステー部材５の弾力に抗して伸張力を作用させておく。
【００３２】
モニター７の裏蓋に予め形成されている嵌合溝を昇降部材３の取付部材33に上から挿し込むことにより、モニター７を取り付ける。そして、継手１のナット14の締め付ける強さを変えて棒部材11を植設した球体12に対する球体受け13の回動抵抗を調整し、モニター７を左右方向、仰・俯角方向に容易に回動し得て、かつ、振動を受けても姿勢を維持できる程度に調整したのち、緩み止めリング15をナット14までねじ戻してナット14の緩みを防止する。
【００３３】
さらに、昇降部材３を挟持する２つの挟持板４にねじ込んだ各六角ネジ45を回すことにより、クリックストップ機構が適切に作動し、モニター７を上下方向に容易に昇降できて、かつ、振動を受けても昇降した位置を維持できる程度に調整する。
【００３４】
図３および図４に示すように、モニター７の高さおよび角度を変更する場合には、モニター７を手で昇降または回動させて点線で示すようにモニター７を任意の姿勢に変更することができる。通常、空調の吹出口９を遮らないように点線で示すようにオーディオ機器６の前面に下げておき、オーディオ機器６を操作する際には、点線で示すように高く上げればよいのである。
【００３５】
なお、昇降部材３は、上下両端が閉じた案内溝31と案内ピン21により昇降範囲が制限されているので、モニター７は外れることはなく、また、球体12に十字状に植設された４本の突起121および球体受け13に形成された４つのスリット131により、モニター７の画面は傾いたり回動することはないのである。
【図面の簡単な説明】
【００３６】
【図１】この発明のモニター取付支持具の組み立てた状態を示す斜視図、
【図２】この発明のモニター取付支持具の組立図、
【図３】この発明のモニター取付支持具の側面図、
【図４】この発明のモニター取付支持具によりモニターをダッシュボードに取り付けた状態を示す縦断面図、
【図５】この発明のモニター取付支持具の継手を示す組立図、
【図６】この発明のモニター取付支持具の継手を示す斜視図、
【図７】この発明のモニター取付支持具の継手を示す断面図、
【図８】第１ピン斜視図、
【図９】第２ピン斜視図である。
【符号の説明】
【００３７】
１  継手
11  棒部材
12  球体
121  突起
13  球体受け
131  スリット
132  球面
14  ナット
141  穴
142  ナイロンリング
15  緩み止めリング
２  支持部材
21  案内ピン
３  昇降部材
31  案内溝
32  切欠き
33  取付部材
４  挟持板
41  Ｖ字状の溝
42  ネジ穴
43  第1ピン
431  第1ピンのＶ字状の窪み
432  第1ピンの谷線
44  コイルスプリング
45  六角ネジ
46  第２ピン
461  第２ピンの山形
462  第２ピンの稜線
463  第２ピンのＶ字状の窪み
464  第２ピンの谷線
５  取付ステー部材
51  保持棒
511  屈曲部
512  ナット
52  穴
53  段部
54  保持部材
６  オーディオ機器
７  モニター
８  ダッシュボード
９  空調の吹出口
【図１】
2006341717.tif 000003
【図２】
2006341717.tif 000004
【図３】
2006341717.tif 000005
【図４】
2006341717.tif 000006
【図５】
2006341717.tif 000007
【図６】
2006341717.tif 000008
【図７】
2006341717.tif 000009
【図８】
2006341717.tif 000010
【図９】
2006341717.tif 000011